(57)【要約】      （修正有）【課題】使用者の求める効能や症状に合った足ツボを確実に押圧刺激でき、ファッション性にも富んだ滑り止め付きのピンポイント指圧効果ストッキングを提供する。【解決手段】ストッキングの足裏部の外面に受け板片を接着固定してあって、この受け板片の面内に、足裏のツボを刺激するシリコーンゴム製の隆起体を接着固定してあるので、受け板片が隆起体を受けて支持することになり、靴底が軟質の場合でも隆起体が沈降して逃げるのを防止でき、ツホを確実に押圧刺激できる。また、受け板片が靴底に対する滑り止めとして作用するので、着用時の不快なストッキングのズレを防止できる。さらに、女性の足裏のツボと対応する位置に隆起体を配置してあるので、隆起体の粘着作用により、ツボ位置から長時間ずれる心配がない。しかも、着用者はストッキング生地のあそびの範囲内で隆起体の位置を微調整できる。【選択図】図１
0003129886.tif 000002
【実用新案登録請求の範囲】
【請求項１】
ストッキングの足裏部の外面に受け板片を接着固定すると共に、前記足裏部の内面には前記受け板片の面内において、女性の足裏のツボと対応する位置のシリコーンゴム製の隆起体を接着固定してあることを特徴とする指圧効果ストッキング。
【請求項２】
前記のシリコーンゴム製隆起体が、２以上の症状や効能に応じて２種以上配置されている２種以上のストッキング又はシリコーンゴム製隆起体が同一配置の２以上のストッキングがセットになっていることを特徴とする請求項１に記載の指圧効果ストッキング。
【請求項３】
前記の受け板片は、前記のシリコーンゴム製隆起体の接着面より大きく、しかも予めデザイン化された形状であることを特徴とする請求項１または請求項２に記載の指圧効果ストッキング。
【請求項４】
前記のシリコーンゴム製の隆起体は、ゲルマニウム若しくはチタンからなる鉱物、磁石、竹炭又は薬草などから成る健康材の中の１以上を、固形、粉末又はエキスの形態で含んでいることを特徴とする請求項１から請求項３までのいずれかの項に記載の指圧効果ストッキング。
【請求項５】
前記のシリコーンゴム製隆起体の内部に、シリコーンゴムより硬質の芯体を内蔵してあることを特徴とする請求項１から請求項４までのいずれかの項に記載の指圧効果ストッキング。
【考案の詳細な説明】
【技術分野】
【０００１】
本考案は、効能や症状に応じた足ツボ・足裏反射区を押圧刺激して、女性の身体の不調や症状を日常的に履くストッキングにて緩和改善できる、ファッション性のある滑り止め付きの指圧効果ストッキングに関する。
【背景技術】
【０００２】
実用新案登録第３１１００７７号によると、症状又は目的別の足ツボ（足裏反射区）を刺激し、足裏の血液循環の促進及び足裏指圧効果を得る目的で、突起状の補強部分が上から体重がかかることで足裏に直接触れ、足ツボを刺激し、足裏指圧効果を得ることができる足裏反射区補強靴下が提案されている。前記の突起状の補強部分は、靴下の裏地に三次元的に編み込んで形成されている。
【０００３】
また、実用新案登録第３０９１００６号では、足の裏を刺激しうるソックスを提供すべく、足裏部を有するソックスにおいて、その足裏部の内面に多数の弾性突起を形成したソックスが提案されている。これらの弾性突起は、軟質合成樹脂ないしゴムをコーティングしたもので、内部にセラミックスや磁性粉を混入してもよい。
【０００４】
特開平１０−６０７０２号では、つぼ療法を施すことを可能とするための突起体をアンダーウエアに簡単かつ強固に固着すべく、人体のつぼに当接させる部位に１個以上の突起体を設けた肌着類や靴下類等の織布からなるアンダーウエアであって、突起体はシリコーンゴム等の弾性体により形成すると共に、この弾性体の素材の一部をアンダーウエアの織り目内に含侵することにより固着する構造が提案されている。
【特許文献１】実用新案登録第３１１００７７号
【特許文献２】実用新案登録第３０９１００６号
【特許文献３】特開平１０−６０７０２号
【考案の開示】
【考案が解決しようとする課題】
【０００５】
しかしながら、個々の足の形状・サイズには個人差があり、足裏の刺激したいツボも改善したい症状や目的によって異なるので、特許文献１〜３のように、つぼ刺激用の弾性突起を強固に固着する構造では、個々の消費者の要望を満たすことは出来ない。特許文献２のように、つぼ刺激用の弾性突起を多数設けることも可能であるが、症状・目的に応じてピンポイントで指圧刺激する場合と異なり、刺激を好まない部位まで刺激される事やコスト高になるという問題が生じる。
【０００６】
本考案の技術的課題は、このような問題に着目し、使用者の求める効能や症状に合った足ツボをピンポイントで確実に押圧刺激でき、ファッション性にも富んだ滑り止め付きの指圧効果ストッキングを実現することにある。
【課題を解決するための手段】
【０００７】
本考案の技術的課題は次のような手段によって解決される。請求項１は、ストッキングの足裏部の外面に受け板片を接着固定すると共に、前記足裏部の内面には前記受け板片の面内において、女性の足裏のツボと対応する位置のシリコーンゴム製の隆起体を接着固定してあることを特徴とする指圧効果ストッキングである。このように、ストッキングの足裏部の外面に受け板片を接着固定してあって、この受け板片の面内に、足裏のツボを刺激するシリコーンゴム製の隆起体を接着固定してあるので、受け板片がシリコーンゴム製隆起体を受けて支持することになり、靴底が軟質の場合でもシリコーンゴム製隆起体が沈降して逃げるのを防止でき、ツホを確実に押圧刺激できる。
【０００８】
また、受け板片が靴底に対する滑り止めとして作用するので、着用時の不快なストッキングのズレを防止できる。さらに、女性の足裏のツボと対応する位置にシリコーンゴム製の隆起体を配置してあるので、シリコーンゴム製隆起体の粘着作用により、ツボ位置から長時間ずれる心配がない。しかも、着用者はストッキング生地のあそびの範囲内でシリコーンゴム製隆起体の位置を微調整できる。その場合着用者は、足ツボチャートを参照しながら、効用に即した足ツボ位置を確認できる。
【０００９】
請求項２は、前記のシリコーンゴム製隆起体が、２以上の症状や効能に応じて２種以上配置されている２種以上のストッキング又はシリコーンゴム製隆起体が同一配置の２以上のストッキングがセットになっていることを特徴とする請求項１に記載の指圧効果ストッキングである。このように、前記のシリコーンゴム製隆起体が、２以上の症状や効能に応じて２種以上配置されている２種以上のストッキングがセットになっているため、消費者は症状や効能に応じて２種以上のストッキングを利用でき、２種以上の症状や効能に対応できる。また、シリコーンゴム製隆起体が同一配置の２以上のストッキングがセットになっている場合は、予め自分の症状や効能に応じた配置のシリコーンゴム製隆起体つきのストッキングを購入しておけば、不必要なストッキングを購入するという無駄が省ける。なお、セットにしないで、１足単位で販売できることは言うまでもない。
【００１０】
請求項３は、前記の受け板片は、前記のシリコーンゴム製隆起体の接着面より大きく、しかも予めデザイン化された形状であることを特徴とする請求項１または請求項２に記載の指圧効果ストッキングである。このように、前記の受け板片は、前記のシリコーンゴム製隆起体の接着面より大きいため、シリコーンゴム製隆起体を確実に受け板片の上に固定支持でき、しかもシリコーンゴム製隆起体と受け板片との位置合わせが容易になる。しかも、予め花形や星型などあらゆるモチーフを用いてデザイン化された形状であるため、ファッション性に富んだストッキングとなり、女性の美的欲求を満足できる。
【００１１】
請求項４は、前記のシリコーンゴム製の隆起体は、ゲルマニウム若しくはチタンからなる鉱物、磁石、竹炭又は薬草などから成る健康材の中の１以上を、固形、粉末又はエキスの形態で含んでいることを特徴とする請求項１から請求項３までのいずれかの項に記載の指圧効果ストッキングである。このように、前記のシリコーンゴム製隆起体は、ゲルマニウム若しくはチタン等からなる鉱物、磁石、竹炭又は薬草などから成る健康材の中の１以上を、固形、粉末又はエキスの形態で含んでいるため、指圧効果に加えて、生体電気を整えるなどの効果を期待できる。
【００１２】
請求項５は、前記のシリコーンゴム製隆起体の内部に、シリコーンゴムより硬質の芯体を内蔵してあることを特徴とする請求項１から請求項４までのいずれかの項に記載の指圧効果ストッキングである。このように、前記のシリコーンゴム製隆起体の内部に、シリコーンゴムより硬質の芯体を内蔵してあるため、シリコーンゴムでは軟らかすぎて刺激が足りない場合に適する。
【考案の効果】
【００１３】
請求項１のように、ストッキングの足裏部の外面に受け板片を接着固定してあって、この受け板片の面内に、足裏のツボを刺激するシリコーンゴム製の隆起体を接着固定してあるので、受け板片がシリコーンゴム製隆起体を受けて支持することになり、靴底が軟質の場合でもシリコーンゴム製隆起体が沈降して逃げるのを防止でき、ツホを確実に押圧刺激できる。また、受け板片が靴底に対する滑り止めとして作用するので、着用時の不快なストッキングのズレを防止できる。さらに、女性の足裏のツボと対応する位置にシリコーンゴム製の隆起体を配置してあるので、シリコーンゴム製隆起体の粘着作用により、ツボ位置から長時間ずれる心配がない。しかも、着用者はストッキング生地のあそびの範囲内でシリコーンゴム製隆起体の位置を微調整できる。
【００１４】
請求項２のように、前記のシリコーンゴム製隆起体が、２以上の症状や効能に応じて２種以上配置されている２種以上のストッキングがセットになっているため、消費者は症状や効能に応じて２種以上のストッキングを利用でき、２種以上の症状や効能に対応できる。また、シリコーンゴム製隆起体が同一配置の２以上のストッキングがセットになっている場合は、予め自分の症状や効能に応じた配置のシリコーンゴム製隆起体つきのストッキングを購入しておけば、不必要なストッキングを購入するという無駄が省ける。
【００１５】
請求項３のように、前記の受け板片は、前記のシリコーンゴム製隆起体の接着面より大きいため、シリコーンゴム製隆起体を確実に受け板片の上に固定支持でき、しかもシリコーンゴム製隆起体と受け板片との位置合わせが容易になる。しかも、予め花形や星型などあらゆるモチーフを用いてデザイン化された形状であるため、ファッション性に富んだストッキングとなり、女性の美的欲求を満足できる。
【００１６】
請求項４のように、前記のシリコーンゴム製隆起体は、ゲルマニウム若しくはチタン等からなる鉱物、磁石、竹炭又は薬草などから成る健康材の中の１以上を、固形、粉末又はエキスの形態で含んでいるため、指圧効果に加えて、生体電気を整えるなどの効果を期待できる。
【００１７】
請求項５のように、前記のシリコーンゴム製隆起体の内部に、シリコーンゴムより硬質の芯体を内蔵してあるため、シリコーンゴムでは軟らかすぎて刺激が足りない場合に適する。
【考案を実施するための最良の形態】
【００１８】
次に本考案による指圧効果ストッキングが実際上どのように具体化されるか実施形態を説明する。図１は、本考案による指圧効果ストッキングの実施形態を示す断面図である。１はストッキングＳの足裏部で、その表側の面が１ａ、裏側の面が１ｂである。ストッキング足裏部の内面１ｂにシリコーンゴム製の隆起体２を接着してあり、ストッキング足裏部の表面１ａには、前記シリコーンゴム製隆起体２と対応する位置に、滑り止めを兼ねた受け板片３を接着してある。
【００１９】
隆起体２を構成するシリコーンゴムは、柔軟性と粘着性に富むため、ストッキング生地の隙間に容易に進入したり、受け板片３の接着面と接着可能である。また、受け板片３側の接着剤もストッキング表面１ａに付着するだけでなく、ストッキング生地の隙間に進入し硬化することで強固に接着固定される。その結果、隆起体２と受け板片３間にストッキング生地の１２部分が挟持されている。シリコーンゴム隆起体２は半球状が好ましく、個数は１個だけでも複数個でもよい。
【００２０】
図２は、図１のストッキングの表側を示す図で、パンティストッキングＳに適用した状態である。この図から明らかなように、ストッキング足裏部１の表面側１ａには受け板片３のみが存在するが、その形状は、図示のような花形などの可愛らしい形状が適している。受け板片３とストッキング生地の裏側（ストッキング内面）には、シリコーンゴム製隆起体２が位置している。
【００２１】
図３は受け板片３の各種実施形態を示す平面図で、花びら状や星形、ハート形、相撲取り形、クリスマスツリー形、雪だるま形などを例示したが、これらに限られない。ローマ字や記号なども可能である。着色も自由で、美観を呈するものであればよく、ファッション性に富んだ形状や色彩が望ましい。材質は、軟質の合成樹脂製が好ましく、厚さが0.１〜１.0ｍｍ程度の薄板状が良い。この受け板片３をストッキング足裏部１の表面１ａに接着する接着剤の種類は特に限定されないが、硬化した後は、容易に分離しないことが必要である。
【００２２】
図４は、図１のストッキングの内面すなわち裏側１ｂを示す図で、パンティストッキングＳに適用した状態である。この図からも明らかなように、ストッキング足裏部１の裏面側１ｂには、使用者の症状や効能に応じて、図６の足ツボチャートを参考にして、シリコーンゴム隆起体２を位置決めし接着できる。パンティストッキングＳの足裏裏面側１ｂにはシリコーンゴム製隆起体２のみが存在するが、パンティストッキング生地が薄いため、受け板片３が透明や半透明の場合は、シリコーンゴム製隆起体２が外側から透けて見える。
【００２３】
したがって、シリコーンゴム隆起体２も、図５のようにおしゃれな各種形状や色彩が好ましい。例えば（１）のような半球状はシンプルなため、製造が容易である。この場合、ストッキング生地との接着面は真円状となる。これに対し、（２）のように、ストッキング生地との接着面を星形にしたり、（３）のようなハート形なども可能であり、他の形状でもよい。このように、可愛らしい形状にしてあると、前記の受け板片３が透明板や半透明板の場合に、シリコーンゴム隆起体２が外側から透けて見えても見苦しくない。
【００２４】
シリコーンゴム製隆起体２は、図４のように、効能や症状に応じて予め配置固定されているが、着用者の足ツボ位置の個人差のためにずれが有る場合は、その位置を微調整出来る。その場合、シリコーンゴム製隆起体２を足裏から一旦剥がしてから、着用者の足ツボポイントの位置に配置し直せば、シリコーンゴム製隆起体２自体の粘着力で再度足裏に接着固定できる。その後、体重が掛かるので、長時間ずれる心配はない。この時、図６のような足ツボチャートを参照することで、素人でもシリコーンゴム製隆起体２の配置位置を正確に確認できる。
【００２５】
シリコーンゴム製隆起体２は、図４のように、内部に比較的硬度の高い軟質合成樹脂やチタン等の鉱物、磁石などを芯として内蔵することで、粘着性を要する外皮のみシリコーンゴムで形成し、全体的に隆起状にすることも可能である。さらに、シリコーンゴム製隆起体２は、ゲルマニウムやチタンからなる鉱物や、磁石や竹炭、薬草などから成る図５の健康材４を、固形や粉末、エキスなどの形態で混入することによって、生体電気を整えるなどの健康効果が期待できる。
【００２６】
図１からも明らかなように、受け板片３は、シリコーンゴム製隆起体２と接着され、一体化されているため、ストッキングの生地自体の伸縮の範囲において、シリコーンゴム製隆起体２を足ツボポイントに微調整ができる。シリコーンゴム製隆起体２は常に受け板片３の上に支持されているので、靴底が軟質の場合でも、体重で沈降し逃げることはない。なお、受け板片３と靴底との間の摩擦により、履物内部におけるストッキングの滑り止めの効果も奏する。シリコーンゴム製隆起体２自体の粘着力によって足裏に接着されているので、ツボ位置からずれるおそれもない。
【００２７】
受け板片３やシリコーンゴム製隆起体２は、予め各症状ごとに位置決め接着しておくと、消費者にとって便利である。図７は、ダイエットに効果のある足ツボを指圧する場合に適するストッキングの足裏部の平面図で、受け板片３…の内側のシリコーンゴム製隆起体２がツボの位置に配置されている。受け板片３として、図３（１）の花形を使用した例である。なお、美観を出す都合上、シリコーンゴム製隆起体２を接着しないで、受け板片３のみを配置することも有りうる。
【００２８】
図８は、便秘や肌荒れに効果のある足ツボをシリコーンゴム製隆起体２…で指圧する場合に好適な受け板片配置例で、受け板片３としては、図３（６）の雪だるま形を使用した例である。なお、単一の受け板片３の面内にシリコーンゴム製隆起体２を２個以上配置することも可能である。
【００２９】
図９は、肩こりや冷え性に効果のある足ツボをシリコーンゴム製隆起体２で指圧する場合に有効な受け板片配置例で、受け板片３としては、図３（１）の花びら形を使用した例である。図６の足ツボチャートを参考にすれば、他の症状に応じた位置に配置することも可能である。
【産業上の利用可能性】
【００３０】
以上のように、本考案のピンポイント指圧効果ストッキングによると、日常的にストッキングを着用する機会の多い女性が各人の効能や症状に応じてシリコーンゴム製隆起体２が配置されているストッキングを履くことで、症状を緩和改善可能な足ツボ指圧効果が得られる。また、ストッキングは伸縮性に富んでいるため、足ツボ位置の個人差がある場合は、シリコーンゴム製隆起体の位置を微調整できるので、より着用者に合った症状の緩和改善、身体の活性化が期待出来る。
【図面の簡単な説明】
【００３１】
【図１】本考案による指圧効果ストッキングの実施形態を示す、ストッキング足裏部の断面図である。
【図２】図１のストッキングの表側を示す図で、パンティストッキングに適用した状態である。
【図３】受け板片の各種実施形態を示す平面図である。
【図４】図１のストッキングを裏返した状態で、パンティストッキングに適用した例である。
【図５】シリコーンゴム隆起体の各種実施形態を示す斜視図である。
【図６】各種症状に応じたツボ位置を示す足ツボチャートである。
【図７】ダイエットに有効な足ツボの指圧に適する受け板片の配置例である。
【図８】便秘や肌荒れに有効な足ツボの指圧に適する受け板片の配置例である。
【図９】肩こりや冷え性に有効な足ツボの指圧に適する受け板片の配置例である。
【符号の説明】
【００３２】
Ｓ  パンティストッキング
１  ストッキングの足裏部
１ａ  ストッキング足裏部の表側
１ｂ  ストッキング足裏部の裏側
２  シリコーンゴム製の隆起体
12  ストッキング生地の隆起体と受け板片間の挟持部
３  受け板片
４  健康材
【図１】
0003129886.tif 000003
【図２】
0003129886.tif 000004
【図３】
0003129886.tif 000005
【図４】
0003129886.tif 000006
【図５】
0003129886.tif 000007
【図６】
0003129886.tif 000008
【図７】
0003129886.tif 000009
【図８】
0003129886.tif 000010
【図９】
0003129886.tif 000011